(57)【要約】【課題】リピート再生の利便性の向上を図ることが可能な再生装置を提供する。【解決手段】ＤＶＤプレーヤは、ＤＶＤに記憶されたコンテンツの再生を制御する制御部と、リピートボタンが設けられたリモコンと、リモコンのリピートボタンが押された場合に、リピート再生の範囲を利用者に選択させるための選択画面Ｗ１を表示装置２００に表示するＯＳＤ部とを備える。選択画面Ｗ１には、ＤＶＤに記憶されたコンテンツの一覧Ｌと、リピート再生が開始されるコンテンツの番号が入力される欄Ｆ１と、リピート再生が終了されるコンテンツの番号が入力される欄Ｆ２とが表示される。【選択図】図５
2010272189.tif 000002
【特許請求の範囲】
【請求項１】
記憶媒体に記憶されたコンテンツの再生を制御する制御部と、
リピートボタンが設けられた操作部と、を備えた再生装置において、
前記操作部のリピートボタンが押された場合に、リピート再生の範囲を利用者に選択させるための選択画面を表示部に表示する表示制御部をさらに備え、
前記選択画面には、前記記憶媒体に記憶されたコンテンツの一覧と、リピート再生が開始されるコンテンツの番号が入力される第１の欄と、リピート再生が終了されるコンテンツの番号が入力される第２の欄とが表示される、ことを特徴とする再生装置。
【請求項２】
請求項１に記載の再生装置において、
前記制御部は、前記選択画面において選択されたコンテンツのうち、利用者の嗜好と一致するコンテンツのみをリピート再生する、ことを特徴とする再生装置。
【請求項３】
請求項２に記載の再生装置において、
コンテンツの再生履歴を記憶する再生履歴記憶部と、
前記再生履歴記憶部に記憶された再生履歴に基づいて、利用者の嗜好を判断する嗜好判断部とをさらに備える、ことを特徴とする再生装置。
【発明の詳細な説明】
【技術分野】
【０００１】
本発明は、リピート再生機能を備えた再生装置に関する。
【背景技術】
【０００２】
従来、リピート再生機能を備えた再生装置が知られている（たとえば、特許文献１〜５参照）。
【０００３】
上記特許文献１および２には、リピート再生が開始される位置と、リピート再生が終了される位置とを入力するための操作部が設けられたディスク記録再生装置が開示されている。
【０００４】
また、上記特許文献３には、リピート再生などのトリックプレイを指示するためのトリックプレイボタンが設けられた音声再生装置が開示されている。
【０００５】
また、上記特許文献４には、コンテンツを属性に応じて分類してフォルダ化するとともに、所定のフォルダのコンテンツのみをリピート再生することが可能な音楽データ再生装置が開示されている。
【０００６】
また、上記特許文献５には、記録媒体にコンテンツがフォルダ化された状態で記録されている場合に、所定のフォルダのコンテンツのみをリピート再生することが可能なＣＤプレーヤが開示されている。
【先行技術文献】
【特許文献】
【０００７】
【特許文献１】特開２００３−１３２６６０号公報
【特許文献２】特開２００２−１０９８１７号公報
【特許文献３】特開２００８−８４４６２号公報
【特許文献４】特開２００２−２７８５６４号公報
【特許文献５】特開２００２−１３３７８４号公報
【発明の概要】
【発明が解決しようとする課題】
【０００８】
本発明の課題とするところは、リピート再生の利便性の向上を図ることが可能な再生装置を提供することである。
【課題を解決するための手段】
【０００９】
本発明の再生装置は、記憶媒体に記憶されたコンテンツの再生を制御する制御部と、リピートボタンが設けられた操作部と、を備えた再生装置において、操作部のリピートボタンが押された場合に、リピート再生の範囲を利用者に選択させるための選択画面を表示部に表示する表示制御部をさらに備える。選択画面には、記憶媒体に記憶されたコンテンツの一覧と、リピート再生が開始されるコンテンツの番号が入力される第１の欄と、リピート再生が終了されるコンテンツの番号が入力される第２の欄とが表示される。
【００１０】
このように構成することによって、選択画面にコンテンツの一覧が表示されることにより、利用者がリピート再生の範囲を選択する際に、リピート再生の対象を容易に把握することができる。これにより、リピート再生の利便性の向上を図ることができる。
【００１１】
上記再生装置において、制御部は、選択画面において選択されたコンテンツのうち、利用者の嗜好と一致するコンテンツのみをリピート再生してもよい。このように構成すれば、利用者が嗜好するコンテンツのみをリピート再生したい場合に、利用者が嗜好するコンテンツを１つずつ選択する場合に比べて、利用者の手間を省くことができる。これによっても、リピート再生の利便性の向上を図ることができる。
【００１２】
この場合において、コンテンツの再生履歴を記憶する再生履歴記憶部と、再生履歴記憶部に記憶された再生履歴に基づいて、利用者の嗜好を判断する嗜好判断部とをさらに備えていてもよい。このように構成すれば、利用者の嗜好を容易に判断することができる。また、利用者の嗜好が変化した場合にも、利用者の嗜好を適切に判断することができる。
【発明の効果】
【００１３】
本発明によれば、リピート再生の利便性の向上を図ることが可能な再生装置を提供することができる。
【図面の簡単な説明】
【００１４】
【図１】本発明の一実施形態によるＤＶＤプレーヤの全体構成を示したブロック図である。
【図２】図１の再生履歴記憶部に記憶された履歴情報を説明するための図である。
【図３】図１のリモコンを示した平面図である。
【図４】図１のＤＶＤプレーヤのリピート再生時の動作を説明するためのフローチャートである。
【図５】図１の表示装置に選択画面が表示された状態を示した図である。
【図６】図１の表示装置に選択画面が表示された状態を示した図である。
【図７】図１の表示装置に選択画面が表示された状態を示した図である。
【図８】図１の表示装置にリピート再生の状態を示す画面が表示された状態を示した図である。
【発明を実施するための形態】
【００１５】
以下、本発明の実施形態について、図面を参照しながら説明する。なお、以下の実施形態では、再生装置の一例であるＤＶＤプレーヤに本発明を適用した場合について説明する。
【００１６】
まず、図１〜図３を参照して、本発明の一実施形態によるＤＶＤプレーヤ１００の構成について説明する。
【００１７】
本実施形態によるＤＶＤプレーヤ１００は、図１に示すように、表示装置２００が接続されるプレーヤ本体１と、プレーヤ本体１を遠隔操作するリモコン２とを備えている。なお、リモコン２は、本発明の「操作部」の一例である。
【００１８】
プレーヤ本体１は、光ピックアップ１１と、信号処理部１２と、ＯＳＤ（On-Screen Display）部１３と、合成部１４と、出力部１５と、受信部１６と、再生履歴記憶部１７と、嗜好判断部１８と、制御部１９とを含んでおり、これらはバス１ａを介して接続されている。なお、ＯＳＤ部１３は、本発明の「表示制御部」の一例である。
【００１９】
光ピックアップ１１は、レーザ光源や受光部などを有する。この光ピックアップ１１は、ＤＶＤ１５０に記憶されたコンテンツを読み取り、その読み取られたコンテンツの信号を信号処理部１２に出力する。なお、このコンテンツの信号には、映像信号と音声信号とが含まれている。また、ＤＶＤ１５０は、本発明の「記憶媒体」の一例である。
【００２０】
信号処理部１２は、デコーダなどを有しており、光ピックアップ１１から入力された信号に対して所定の処理を施す。そして、信号処理部１２は、所定の処理が施された信号を合成部１４に出力する。ＯＳＤ部１３は、ＯＳＤ信号を生成するとともに、生成したＯＳＤ信号を合成部１４に出力する。合成部１４は、信号処理部１２から入力された映像信号に、ＯＳＤ部１３から入力されたＯＳＤ信号を重畳して出力部１５に出力する。
【００２１】
出力部１５は、ＨＤＭＩ（High-Definition Multimedia Interface）端子などを有しており、合成部１４から入力された信号を表示装置２００に出力する。表示装置２００は、たとえば、液晶テレビジョン受像機であり、プレーヤ本体１から出力される映像信号に基づいて映像を表示するとともに、プレーヤ本体１から出力される音声信号に基づいて音声を再生する。なお、表示装置２００は、本発明の「表示部」の一例である。受信部１６は、フォトダイオードなどを有しており、リモコン２から出力されるリモコン信号を受信する。
【００２２】
再生履歴記憶部１７は、書き換え可能な不揮発性のメモリであり、たとえば、フラッシュメモリである。この再生履歴記憶部１７は、ＤＶＤプレーヤ１００において再生されたコンテンツの履歴情報を記憶する。具体的には、再生履歴記憶部１７は、図２に示すように、再生されたコンテンツのタイトル、ジャンル、および、再生日時などを記憶する。
【００２３】
嗜好判断部１８は、再生履歴記憶部１７に記憶された履歴情報に基づいて、利用者の嗜好を判断する。嗜好判断部１８は、図２の例では、ジャンルが「クラシック」であるコンテンツの再生回数が多いことから、利用者の嗜好が「クラシック」であると判断する。
【００２４】
制御部１９は、ＤＶＤ１５０に記憶されたコンテンツの再生を制御する。この制御部１９は、ＣＰＵ１９ａと、ＲＯＭ１９ｂと、ＲＡＭ１９ｃとを含んでいる。ＣＰＵ１９ａは、プレーヤ本体１の動作を制御する。ＲＯＭ１９ｂは、書き換え可能な不揮発性のメモリであり、たとえば、フラッシュメモリである。ＲＯＭ１９ｂは、プレーヤ本体１の動作を制御するためのプログラムや、各種設定項目の設定値などを記憶する。ＲＡＭ１９ｃは、たとえば、ＤＲＡＭであり、プログラムが実行される際のデータなどを一時的に記憶する。
【００２５】
リモコン２は、図３に示すように、利用者からの操作指令を受け付ける操作ボタン２１と、操作指令に応じてリモコン信号を発信する発信部２２とを含んでいる。
【００２６】
操作ボタン２１は、電源ボタン２１ａと、メニューボタン２１ｂと、音量調整ボタン２１ｃと、カーソルボタン２１ｄと、決定ボタン２１ｅと、数字ボタン２１ｆと、リピートボタン２１ｇと、再生ボタン２１ｈと、停止ボタン２１ｉとを含んでいる。
【００２７】
電源ボタン２１ａは、プレーヤ本体１の電源をオン状態またはオフ状態に切り替えるために設けられている。メニューボタン２１ｂは、プレーヤ本体１の各種設定を行うために設けられている。音量調整ボタン２１ｃは、プレーヤ本体１の音量を調整するために設けられている。カーソルボタン２１ｄは、表示装置２００に表示されるカーソルを移動させるために設けられている。決定ボタン２１ｅは、表示装置２００に表示されるカーソルにより選択された項目に決定するために設けられている。
【００２８】
数字ボタン２１ｆは、数字を入力するために設けられている。リピートボタン２１ｇは、コンテンツをリピート再生するために設けられている。再生ボタン２１ｈは、コンテンツの再生を開始するために設けられている。停止ボタン２１ｉは、コンテンツの再生を停止するために設けられている。
【００２９】
次に、図１〜図７を参照して、本実施形態によるＤＶＤプレーヤ１００のリピート再生時の動作について説明する。なお、以下の動作説明では、３０個のコンテンツが記憶されたＤＶＤ１５０（図１参照）がリピート再生される場合について説明する。また、このフローチャートの各ステップは、制御部１９（図１参照）により実行される。
【００３０】
まず、ＤＶＤプレーヤ１００（図１参照）では、図４のステップＳ１において、リモコン２のリピートボタン２１ｇ（図３参照）が押されたか否かが判断される。具体的には、受信部１６（図１参照）により、リモコン２の発信部２２（図３参照）から発信される所定のリモコン信号を受信したか否かが判断される。リピートボタン２１ｇが押されていないと判断された場合には、ステップＳ１が繰り返し行われる。すなわち、ＤＶＤプレーヤ１００は、リピートボタン２１ｇが押されるまで待機する。そして、リピートボタン２１ｇが押されたと判断された場合には、ステップＳ２に移る。
【００３１】
次に、ステップＳ２において、ＯＳＤ部１３（図１参照）により、リピート再生の範囲を利用者に選択させるための選択画面Ｗ１が表示装置２００に表示される。この選択画面Ｗ１には、図５に示すように、ＤＶＤ１５０に記憶されたコンテンツの一覧Ｌと、リピート再生が開始されるコンテンツの番号が入力される欄Ｆ１と、リピート再生が終了されるコンテンツの番号が入力される欄Ｆ２とが表示される。図５のコンテンツの一覧Ｌでは、ＤＶＤ１５０に記憶された３０個のコンテンツのうち、「コンテンツ１」から「コンテンツ６」のみが表示されているが、ページをスクロールさせることにより、表示されるコンテンツのタイトルが切り替えられる。なお、欄Ｆ１およびＦ２は、それぞれ、本発明の「第１の欄」および「第２の欄」の一例である。
【００３２】
なお、選択画面Ｗ１には、ＤＶＤ１５０に記憶されたコンテンツの総数に対するカーソルＣが選択しているコンテンツの番号Ｐ１（図５では、「１／３０」）が表示されている。また、選択画面Ｗ１には、コンテンツの一覧の総ページ数に対する現在表示されているページ番号Ｐ２（図５では、「１／５」）が表示されている。
【００３３】
次に、ステップＳ３において、リモコン２のカーソルボタン２１ｄ（図３参照）が押されたか否かが判断される。具体的には、受信部１６により、リモコン２の発信部２２から発信される所定のリモコン信号を受信したか否かが判断される。そして、カーソルボタン２１ｄが押されたと判断された場合には、ステップＳ４に移る。その一方、カーソルボタン２１ｄが押されていないと判断された場合には、ステップＳ５に移る。
【００３４】
次に、ステップＳ４において、ＯＳＤ部１３により、選択画面Ｗ１に表示されるカーソルＣを移動させる。たとえば、図５に示すように、「コンテンツ１」がカーソルＣにより選択されている状態で、ステップＳ３においてカーソルボタン２１ｄの下ボタンが押された場合には、カーソルＣが「コンテンツ２」を選択するように下方向に移動する。
【００３５】
次に、ステップＳ５において、リモコン２の決定ボタン２１ｅ（図３参照）が押されたか否かが判断される。具体的には、受信部１６により、リモコン２の発信部２２から発信される所定のリモコン信号を受信したか否かが判断される。そして、決定ボタン２１ｅが押されたと判断された場合には、ステップＳ６に移る。その一方、決定ボタン２１ｅが押されていないと判断された場合には、ステップＳ３に戻る。
【００３６】
次に、ステップＳ６において、決定ボタン２１ｅが押された際にカーソルＣにより選択されているコンテンツが、リピート再生が開始されるコンテンツであると判断される。そして、ＯＳＤ部１３により、カーソルＣにより選択されているコンテンツの番号が選択画面Ｗ１の欄Ｆ１に表示される。たとえば、図６に示すように、カーソルＣにより「コンテンツ８」が選択されている状態で、ステップＳ５において決定ボタン２１ｅが押された場合には、欄Ｆ１に「コンテンツ８」の番号「８」が入力される。この欄Ｆ１に入力されるコンテンツは、リピート再生の範囲の先頭のコンテンツである。
【００３７】
次に、ステップＳ７において、リモコン２のカーソルボタン２１ｄが押されたか否かが判断される。そして、カーソルボタン２１ｄが押されたと判断された場合には、ステップＳ８において、ＯＳＤ部１３により選択画面Ｗ１に表示されるカーソルＣを移動させ、ステップＳ９に移る。その一方、カーソルボタン２１ｄが押されていないと判断された場合には、カーソルＣを移動させることなく、ステップＳ９に移る。
【００３８】
次に、ステップＳ９において、リモコン２の決定ボタン２１ｅが押されたか否かが判断される。そして、決定ボタン２１ｅが押されたと判断された場合には、ステップＳ１０に移る。その一方、決定ボタン２１ｅが押されていないと判断された場合には、ステップＳ７に戻る。
【００３９】
次に、ステップＳ１０において、決定ボタン２１ｅが押された際にカーソルＣにより選択されているコンテンツが、リピート再生が終了されるコンテンツであると判断される。そして、ＯＳＤ部１３により、カーソルＣにより選択されているコンテンツの番号が選択画面Ｗ１の欄Ｆ２に表示される。たとえば、図７に示すように、カーソルＣにより「コンテンツ１１」が選択されている状態で、ステップＳ９において決定ボタン２１ｅが押された場合には、欄Ｆ２に「コンテンツ１１」の番号「１１」が入力される。この欄Ｆ２に入力されるコンテンツは、リピート再生の範囲の最後尾のコンテンツである。なお、コンテンツの一覧Ｌでは、リピート再生の先頭のコンテンツから最後尾のコンテンツまでがハイライト表示される。
【００４０】
次に、ステップＳ１１において、嗜好判断部１８（図１参照）により、再生履歴記憶部１７（図１参照）に記憶された履歴情報に基づいて、利用者の嗜好が判断される。たとえば、図２に示すように、ジャンルが「クラシック」であるコンテンツの再生回数が多い場合には、利用者の嗜好が「クラシック」であると判断される。
【００４１】
次に、ステップＳ１２において、選択されたコンテンツの中から利用者の嗜好と一致するコンテンツが抽出される。たとえば、図７に示すように、「コンテンツ８」〜「コンテンツ１１」が選択されている場合において、利用者の嗜好が「クラシック」である場合には、「コンテンツ８」〜「コンテンツ１１」のうち、ジャンルが「クラシック」であるコンテンツが抽出される。すなわち、「コンテンツ８」、「コンテンツ９」および「コンテンツ１１」のジャンルが「クラシック」であり、「コンテンツ１０」のジャンルが「ロック」である場合には、「コンテンツ８」、「コンテンツ９」および「コンテンツ１１」が抽出される。
【００４２】
次に、ステップＳ１３において、抽出されたコンテンツがリピート再生される。たとえば、「コンテンツ８」、「コンテンツ９」および「コンテンツ１１」が抽出された場合には、「コンテンツ８」、「コンテンツ９」および「コンテンツ１１」の再生が繰り返し行われる。
【００４３】
次に、ステップＳ１４において、リモコン２の停止ボタン２１ｉ（図３参照）が押されたか否かが判断される。具体的には、受信部１６により、リモコン２の発信部２２から発信される所定のリモコン信号を受信したか否かが判断される。停止ボタン２１ｉが押されていないと判断された場合には、ステップＳ１４が繰り返し行われる。すなわち、ＤＶＤプレーヤ１００は、停止ボタン２１ｉが押されるまでリピート再生を継続する。そして、停止ボタン２１ｉが押されたと判断された場合には、リピート再生時の動作が終了する。
【００４４】
本実施形態では、上記のように、選択画面Ｗ１にコンテンツの一覧Ｌが表示されることによって、利用者がリピート再生の範囲を選択する際に、リピート再生の対象を容易に把握することができる。これにより、リピート再生の利便性の向上を図ることができる。
【００４５】
また、本実施形態では、選択されたコンテンツの中から利用者の嗜好と一致するコンテンツを抽出し、その抽出されたコンテンツのみをリピート再生することによって、利用者が嗜好するコンテンツを１つずつ選択する場合に比べて、利用者の手間を省くことができる。これによっても、リピート再生の利便性の向上を図ることができる。
【００４６】
また、本実施形態では、再生履歴記憶部１７と、嗜好判断部１８とを設けることによって、利用者の嗜好を容易に判断することができる。また、利用者の嗜好が変化した場合にも、利用者の嗜好を適切に判断することができる。
【００４７】
本発明は、上述した以外にも種々の実施形態を採用することができる。たとえば、上記実施形態では、再生装置の一例であるＤＶＤプレーヤ１００に本発明を適用する例を示したが、これに限らず、ＭＰ３プレーヤなどのその他の再生装置に本発明を適用してもよい。
【００４８】
また、上記実施形態では、選択画面Ｗ１にコンテンツの一覧が表示される例を示したが、これに限らず、選択画面Ｗ１にコンテンツのチャプタの一覧が表示されるようにしてもよい。
【００４９】
また、上記実施形態では、選択されたコンテンツの中から利用者の嗜好に基づいて抽出されたコンテンツをリピート再生する例を示したが、これに限らず、選択されたコンテンツをそのままリピート再生するようにしてもよい。たとえば、「コンテンツ８」〜「コンテンツ１１」が選択された場合に、「コンテンツ８」〜「コンテンツ１１」をリピート再生するようにしてもよい。
【００５０】
また、選択されたコンテンツをそのままリピート再生する第１のモードと、選択されたコンテンツの中から嗜好に基づいて抽出されたコンテンツをリピート再生する第２のモードとを切り替え可能にしてもよい。具体的には、リピート再生のモードが、利用者により第１のモードまたは第２のモードにあらかじめ設定されていてもよい。また、リピート再生のコンテンツが選択された場合に、第１のモードおよび第２のモードのいずれのモードでリピート再生を行うかを利用者に選択させる選択画面（図示省略）を表示するようにしてもよい。
【００５１】
また、上記実施形態では、決定ボタン２１ｅが押された際にカーソルＣにより選択されているコンテンツの番号が選択画面Ｗ１の欄Ｆ１およびＦ２に入力される例を示したが、これに限らず、リモコン２の数字ボタン２１ｆを用いて、選択画面Ｗ１の欄Ｆ１およびＦ２にコンテンツの番号が入力されるようにしてもよい。
【００５２】
また、上記実施形態では、嗜好判断部１８が再生履歴に基づいて利用者の嗜好を判断する例を示したが、これに限らず、ＤＶＤプレーヤ１００において、利用者の嗜好するジャンルをあらかじめ設定することが可能なようにしてもよい。
【００５３】
また、上記実施形態では、コンテンツのジャンルに基づいて利用者の嗜好が判断される例を示したが、これに限らず、歌手名などのコンテンツのその他の属性に基づいて、利用者の嗜好が判断されるようにしてもよい。
【００５４】
また、上記実施形態において、コンテンツが音声信号のみで映像信号を含まない場合には、リピート再生時に、表示装置２００にリピート再生の状態を示す画面Ｗ２（図８参照）が表示されるようにしてもよい。この画面Ｗ２では、再生中のコンテンツがカーソルＣにより選択される。
【００５５】
また、上記実施形態では、制御部１９とは別に嗜好判断部１８が設けられる例を示したが、これに限らず、嗜好判断部１８を設けることなく、制御部１９が嗜好判断部として機能するようにしてもよい。
【００５６】
また、上記実施形態において、コンテンツが再生された際に、再生履歴記憶部１７に再生されたコンテンツの履歴情報が記憶されるときに、再生日時に基づいて古い履歴情報を削除することにより、再生履歴記憶部１７が常に所定の数の履歴情報を記憶するようにしてもよい。このように構成すれば、再生履歴記憶部１７に記憶される情報量が多くなるのを防止することができる。
【００５７】
また、上記実施形態では、コンテンツの一覧Ｌに、コンテンツの番号と、コンテンツのタイトルとが表示される例を示したが、これに限らず、コンテンツのタイトルの代わりに、コンテンツのファイル名が表示されるようにしてもよい。また、コンテンツのタイトルとともに、コンテンツのジャンルなどの属性情報が表示されるようにしてもよい。
【符号の説明】
【００５８】
２        リモコン（操作部）
１３      ＯＳＤ部（表示制御部）
１７      再生履歴記憶部
１８      嗜好判断部
１９      制御部
２１ｇ    リピートボタン
１００    ＤＶＤプレーヤ（再生装置）
１５０    ＤＶＤ（記憶媒体）
２００    表示装置（表示部）
【図１】
2010272189.tif 000003
【図２】
2010272189.tif 000004
【図３】
2010272189.tif 000005
【図４】
2010272189.tif 000006
【図５】
2010272189.tif 000007
【図６】
2010272189.tif 000008
【図７】
2010272189.tif 000009
【図８】
2010272189.tif 000010